(57)【要約】【課題】老若男女が楽しむ娯楽用や健康促進用としてゲーム性を向上させた吹矢の的を提供する。【課題の解決手段】吹矢の的１は、得点を表示した的２を縦横に同一数並べてなる的表示板３と、７セグメントの得点表示ＬＥＤ５ａを有する得点表示部５と、音声を発するスピーカ部６と、モータによって小槌８ａを持った右腕が動作可能な大黒天人形８と、的２に吹矢が的中したことを検出するセンサーと、このセンサーの検出信号に基づく制御信号を出力して、得点表示部５に的中した的２の合計点を表示し、的中した的２が縦、横、斜めのいずれか一列に並んだ場合には、合計点にさらに加点して得点表示部５に表示するとともに、スピーカ部６から音声を発生させ、大黒天人形８を動作させるよう制御する制御部とを備えてなるものである。【選択図】    図１
0003174832.tif 000002
【実用新案登録請求の範囲】
【請求項１】
得点を表示した的を縦横に同一数並べてなる的表示板と、７セグメントの表示体を有する得点表示部と、前記的に吹矢が的中したことを検出するセンサーと、このセンサーの検出信号に基づく制御信号を出力して、前記得点表示部に的中した的の合計点を表示し、的中した的が縦、横、斜めのいずれか一列に並んだ場合には、前記合計点にさらに加点して前記得点表示部に表示するよう制御する制御部とを備えてなることを特徴とする吹矢の的。
【請求項２】
前記請求項１記載の構成に加えて、音声を発する発音部と、モータの駆動で動作可能な人形とを備え、前記制御部は、的中した的が縦、横、斜めのいずれか一列に並んだ場合は、前記発音部から音声を発生させるとともに、前記モータを駆動して人形を動作させる制御信号を出力することを特徴とする吹矢の的。
【考案の詳細な説明】
【技術分野】
【０００１】
本考案は、吹矢、特に老若男女が楽しんで行なう娯楽用や健康促進用の吹矢に用いる的に関する。
【背景技術】
【０００２】
従来の吹矢の的は、同心円状に表示されて、中心部分ほど得点が高くなっているのが一般的である（特許文献１）。
【先行技術文献】
【特許文献】
【０００３】
【特許文献１】実用新案登録第３１５８４８５号公報
【考案の概要】
【考案が解決しようとする課題】
【０００４】
ところが、上述した従来の吹矢の的では、得点で争う競技の場合は特に問題とはならないが、老若男女が楽しむ娯楽用や健康促進用の吹矢の的としては、単純でおもしろみに欠けるという不都合があった。本考案は、このような従来の不都合を解消した吹矢の的を提供することを目的とする。
【課題を解決するための手段】
【０００５】
この目的を達成するため、本考案の請求項１に係る吹矢の的は、得点を表示した的を縦横に同一数並べてなる的表示板と、７セグメントの表示体を有する得点表示部と、前記的に吹矢が的中したことを検出するセンサーと、このセンサーの検出信号に基づく制御信号を出力して、前記得点表示部に的中した的の合計点を表示し、的中した的が縦、横、斜めのいずれか一列に並んだ場合、いわゆるビンゴの場合には、前記合計点にさらに加点して前記得点表示部に表示するよう制御する制御部とを備えてなるものである。
【０００６】
また、前記目的を達成するため、本考案の請求項２に係る吹矢の的は、前記請求項１記載の構成に加えて、音声を発する発音部と、モータで動作可能な人形を備え、制御部は、的中した的が縦、横、斜めのいずれか一列に並んだ場合は、前記発音部から、例えば「ビンゴ」という音声を発生させるとともに、前記モータを駆動して人形を動作させる制御信号を出力するものである。
【考案の効果】
【０００７】
本考案の請求項１に係る吹矢の的によれば、吹矢が的中した得点を得点表示部の表示で確認できるとともに、的中した的が縦、横、斜めのいずれか一列に並んだ場合は、さらに得点が加算されるので、ゲームとしてのおもしろみが向上するという効果を奏する。
【０００８】
本考案の請求項２に係る吹矢の的によれば、前記効果に加えて、的中した的が縦、横、斜めのいずれか一列に並んだ場合は、音声が発生するとともに、人形が動作するので、ゲームとしてのおもしろみがより一層向上するという効果を奏する。
【図面の簡単な説明】
【０００９】
【図１】吹矢の的の一例を示す正面図。
【図２】電気制御系統を示すブロック図。
【考案を実施するための形態】
【００１０】
以下、本考案の好適な実施形態を添付図面に基づいて説明する。図１に示すように、吹矢の的１は、得点である「５」を表示した的２を縦横に３個ずつ、計９個を並べてなる金属板からなる的表示板３を備えている。図示していないが、前記的２に的中させる吹矢は、その先端に磁石が設けられ、この磁石で前記各的２に吸着するものである。各的２の周囲には、的表示板３の裏面に配置した的ＬＥＤ４ａ（図２参照）の発光で点灯するリング状の透視可能な的点灯部４を設けている。
【００１１】
的表示板３の上部には、７セグメントのＬＥＤ表示体である得点表示ＬＥＤ５ａを二つ並設し、各ＬＥＤの発光を制御して二桁の数字を表示しうる得点表示部５と、音声を発する発音部を裏面に設けたスピーカ部６（透孔のみ表示）と、プレイ開始時に押すと照光し、プレイ終了時に押すと消光する照光式のリセットスイッチ７を設けている。また、前記的表示板３の上端には、大黒人形８が設置されており、この大黒人形８はサーボモータ９（図２参照）の駆動によって、小槌８ａを持った右腕が振られるよう構成されている。一方、前記的表示板３の裏面には、的２に吹矢が的中したことを磁石の発する磁力から検出するリードスイッチからなる的中検出センサー１０（図２参照）を設けている。
【００１２】
次に、図２に基づいて、的中検出センサー１０の検出信号に基づき、各種制御を行なう制御部をはじめとする電気制御系統を説明する。的中検出センサー１０とリセットスイッチ７の各出力は制御部１１に入力するよう構成されている。前記的中検出センサー１０の検出信号に基づいて制御部１１は、各種制御信号を出力する。これらの制御信号は、的ＬＥＤ４ａを発光させるための的ＬＥＤ駆動回路１２、得点表示ＬＥＤ５ａの各セグメントを発光させるための得点表示ＬＥＤ駆動回路１３、スピーカ部６のあらかじめ音声データを格納してあるＳＤカードから音声を出力させて発音させるためのスピーカ駆動回路１４、サーボモータ９を駆動するための人形駆動回路１５、をそれぞれ制御する信号である。
【００１３】
続いて、上述した実施形態の動作を説明する。はじめに、リセットスイッチ７を押すと、これが照光してプレイ開始状態になったことを表示する。吹矢（図示せず）が的２に的中すると、これを的中検出センサー１０が検出し、検出信号を制御部１１に出力する。的中か否かの判定は、的２の中に吹矢の磁石が一部でも存在するか否かで行なわれる。制御部１１は、的中の検出信号が入力するたびに５点ずつ加算した得点を、得点表示部５に、７セグメントの得点表示ＬＥＤ５ａの発光を制御してデジタル表示をする。また、的中した的２の的点灯部４を、的ＬＥＤ４ａの発光を制御して点灯する。
【００１４】
そして、的中した的２が縦、横、斜めのいずれか一列に並んだ場合、いわゆるビンゴの場合には、制御部１１はビンゴ成立時の合計点にさらに５点を加点して得点表示部５に表示するとともに、スピーカ部６から、「ビンゴ」という音声を発生させ、さらに、サーボモータ９を駆動して大黒天人形８の小槌８ａを持った右腕を振らす。また、的中した的２が縦、横、斜めのいずれか一列に加えて、さらに一列並んだ場合、いわゆるダブルビンゴの場合には、制御部１１はダブルビンゴ成立時の合計点にさらに５点を加点して得点表示部５に表示するとともに、スピーカ部６から、「ダブルビンゴ」という音声を発生させ、大黒天人形８の小槌８ａを持った右腕を振らす。このようにして、一人のプレイヤーが全ての吹矢を吹き終わった時は、リセットスイッチ７を押してこれを消灯し、プレイ終了状態として原状態に復帰させ、次のプレイに備える。
【００１５】
なお、本考案は上述の実施形態に限定されるものではなく、例えば、大黒人形８に換えて招き猫などの動物人形や西洋人形を採用してもよいし、この人形を必ずしも設けなくてもよく、ビンゴの場合に景品などが自動的に出てくるよう構成してもよい。また、発音部であるスピーカ部６も必ずしも設ける必要はない。さらに、得点表示部５は、７セグメントの得点表示ＬＥＤ５ａで構成するほか、表示体としてＬＥＤに換えてＬＣＤを採用してもよい。さらにまた、的２の数は９個に限らず、４個や１６個でもよいし、的２の得点も５点に限らない。またさらに、得点表示部５，スピーカ部６、リセットスイッチ７，大黒人形８の一部、あるいは全部を、的表示板３とは別の場所に設置してもよい。
【符号の説明】
【００１６】
１      吹矢の的
２      的
３      的表示板
４      的点灯部
４ａ      的ＬＥＤ
５      得点表示部
５ａ      得点表示ＬＥＤ
６      スピーカ部
７      リセットスイッチ
８      大黒人形
９      サーボモータ
１０      的中検出センサー
１１      制御部
【図１】
0003174832.tif 000003
【図２】
0003174832.tif 000004
【手続補正書】
【提出日】平成24年2月3日(2012.2.3)
【手続補正１】
【補正対象書類名】実用新案登録請求の範囲
【補正対象項目名】請求項２
【補正方法】変更
【補正の内容】
【請求項２】
音声を発する発音部と、モータの駆動で動作可能な人形とを備え、前記制御部は、的中した的が縦、横、斜めのいずれか一列に並んだ場合は、前記発音部から音声を発生させるとともに、前記モータを駆動して人形を動作させる制御信号を出力することを特徴とする前記請求項１記載の吹矢の的。